(57)【要約】      （修正有） 【課題】長年の使用にも耐えることが可能な机等の多用途に使用することができるラックを提供する。【解決手段】床面１１に載置され、両側板１２、１３と、両側板１２、１３の間に設けられた背面板１４と、両側板１２、１３及び背面板１４の上端部に装着された天板１５と、天板１５の下方に配置された棚板１６とを備えたラックであって、天板１５と棚板１６との間には、高さ方向に沿って配設され、着脱可能に固定された仕切板２２ａ、２２ｂが設けられ、仕切板２２ａ、２２ｂを取り外して両側板１２、１３の前端部に着脱可能に固定し、棚板１６と同一面上に配置されるように天板１５を仕切板２２ａ、２２ｂに着脱可能に固定して棚板１６の前方に延設するように配置することができるように形成した。【選択図】図１
0003208174.tif 000002
【実用新案登録請求の範囲】
【請求項１】
床面に載置され、両側板と、前記両側板の間に設けられた背面板と、前記両側板及び背面板の上端部に装着された天板と、前記天板の下方に所定間隔をおいて配置された棚板とを備えたラックであって、
前記天板と前記棚板との間には、高さ方向に沿って配設され、着脱可能に固定された仕切板が設けられ、
前記仕切板を取り外して両側板の上端に着脱可能に立設固定すると共に、前記天板を前記背面板の上端に立設させて前記仕切板に着脱可能に固定させるように形成したことを特徴とするラック。
【請求項２】
床面に載置され、両側板と、前記両側板の間に設けられた背面板と、前記両側板及び背面板の上端部に装着された天板と、前記天板の下方に配置された棚板とを備えたラックであって、
前記天板と前記棚板との間には、高さ方向に沿って配設され、着脱可能に固定された仕切板が設けられ、
前記仕切板を取り外して前記両側板の前端部に着脱可能に固定し、前記棚板と同一面上に配置されるように前記天板を前記仕切板に着脱可能に固定して前記棚板の前方に延設するように配置することができるように形成したことを特徴とするラック。
【請求項３】
前記両側板及び背面板の下端部には、床面との間に間隙が形成される部位に棚板が設けられ、前記棚板の前端部には着脱可能に棒状部が固定され、前記棒状部は前記間隙を被覆しうるように前記棚板及び前記両側板の前端部に設けられると共に、前記棒状部を前記棚板から取り外して、前方へ突出配置されるように前記棚板の前端部に固定して脚部として使用できるように形成されていることを特徴とする請求項１又は２記載のラック。
【請求項４】
前記背面板、両側板、天板、棚板及び脚部は固定金具を介して固定され、前記固定金具は、カムロックと、カムロックボルトとにより構成されていることを特徴とする請求項１、２及び３のいずれか１項に記載のラック。
【請求項５】
全体縦長直方体に形成され上下方向に多段の棚板を有することを特徴とする請求項４記載のラック。
【考案の詳細な説明】
【技術分野】
【０００１】
本考案はラックの改良に関する。
【背景技術】
【０００２】
一般に、本棚等として使用可能なラックが広く使用されている。このようなラックとして、例えば、本棚として使用されるラックは、全体直方体薄型箱状に形成され、床面に載置され、両側板と、前記両側板の間に設けられた背面板と、前記両側板及び背面板の上端部に装着された天板と、前記天板の下方に所定間隔をおいて配置された棚板とを備えている。
【０００３】
このような従来のラックは、一般に、消費者の個人使用目的で、使用者の家屋内において、限られた広さの居室に配置されるものであり、居室の広さは限られているものであることから、他にも、机、ベッド等の家具を配置しなければならず、広さが制限されており、効率の良い空間利用の観点からは、多機能の家具が要請されていた。
【０００４】
このような観点から、従来、例えば、天板等の板をヒンジ部により回動可能に固定し、天板を机面として使用できるように構成したラックもあった。
しかしながら、このような従来のラックにあっては、机としての使用時にヒンジ部に負荷が作用し、長期間使用する際にヒンジ部が損傷してしまう場合がある、という不具合があった。
【０００５】
本件出願人は前記の観点から過去の特許文献を調査し、下記の公報を抽出した（特許文献１）。しかしながら、特許文献１に開示された技術は、多用途に使用できるラックを開示していない。
【先行技術文献】
【特許文献】
【０００６】
【特許文献１】実開昭６１−５１０５２号公報
【考案の概要】
【考案が解決しようとする課題】
【０００７】
本考案はこのような従来からの不具合を解決するためのものであって、その課題は、長年の使用にも耐えることが可能な机等の多用途に使用することができるラックを提供することにある。
【課題を解決するための手段】
【０００８】
前記課題達成のため、請求項１記載の考案にあっては、床面に載置され、両側板と、前記両側板の間に設けられた背面板と、前記両側板及び背面板の上端部に装着された天板と、前記天板の下方に所定間隔をおいて配置された棚板とを備えたラックであって、前記天板と前記棚板との間には、高さ方向に沿って配設され、着脱可能に固定された仕切板が設けられ、前記仕切板を取り外して両側板の上端に着脱可能に立設固定すると共に、前記天板を前記背面板の上端に立設させて前記仕切板に着脱可能に固定させるように形成したことを特徴とする。
【０００９】
従って、請求項１記載の考案にあっては、天板を前記背面板の上端に立設させて前記仕切板に着脱可能に固定させるように形成することにより、棚板、両側板、背面板及び天板により棚板上に収納部を形成することができる。
【００１０】
請求項２記載の考案にあっては、床面に載置され、両側板と、前記両側板の間に設けられた背面板と、前記両側板及び背面板の上端部に装着された天板と、前記天板の下方に配置された棚板とを備えたラックであって、前記天板と前記棚板との間には、高さ方向に沿って配設され、着脱可能に固定された仕切板が設けられ、前記仕切板を取り外して前記両側板の前端部に着脱可能に固定し、前記棚板と同一面上に配置されるように前記天板を前記仕切板に着脱可能に固定して前記棚板の前方に延設するように配置することができるように形成したことを特徴とする。
【００１１】
従って、請求項２記載の考案にあっては、前記棚板と同一面上に配置されるように前記天板を前記仕切板に着脱可能に固定して前記棚板の前方に延設するように配置することにより、前記棚板及び前記天板により机の天板部を構成することができる。
【００１２】
請求項３記載の考案にあっては、前記両側板及び背面板の下端部には、床面との間に間隙が形成される部位に棚板が設けられ、前記棚板の前端部には着脱可能に棒状部が固定され、前記棒状部は前記間隙を被覆しうるように前記棚板及び前記両側板の前端部に設けられると共に、前記棒状部を前記棚板から取り外して、前方へ突出配置されるように前記棚板の前端部に固定して脚部として使用できるように形成されていることを特徴とする。
【００１３】
従って、請求項３記載の考案にあっては、脚部として使用できる棒状部を備えている。
請求項４記載の考案にあっては、前記背面板、両側板、天板、棚板及び脚部は固定金具を介して固定され、前記固定金具は、カムロックと、カムロックボルトとにより構成されていることを特徴とする。
【００１４】
請求項５記載の考案にあっては、全体縦長直方体に形成され上下方向に多段の棚板を有することを特徴とする。
【考案の効果】
【００１５】
請求項１記載の考案にあっては、前記天板と前記棚板との間には、高さ方向に沿って配設され、着脱可能に固定された仕切板が設けられ、前記仕切板を取り外して両側板の上端に着脱可能に立設固定すると共に、前記天板を前記背面板の上端に立設させて前記仕切板に着脱可能に固定させるように形成され、前記天板を前記背面板の上端に立設させて前記仕切板に着脱可能に固定させることにより、棚板、両側板、背面板及び天板により棚板上に収納部を形成することができるラックを提供することができる。従って、この収納部に様々な生活用品を収納しておくことができる。
【００１６】
請求項２記載の考案にあっては、前記天板と前記棚板との間には、高さ方向に沿って配設され、着脱可能に固定された仕切板が設けられ、前記仕切板を取り外して前記両側板の前端部に着脱可能に固定し、前記棚板と同一面上に配置されるように前記天板を前記仕切板に着脱可能に固定して前記棚板の前方に延設するように配置することができるように形成され、前記棚板と同一面上に配置されるように前記天板を前記仕切板に着脱可能に固定して前記棚板の前方に延設するように配置することにより、前記棚板及び前記天板により机の天板部を構成することができ、机として使用することが可能となるラックを提供することができる。
【００１７】
請求項３記載の考案にあっては、前記両側板及び背面板の下端部には、床面との間に間隙が形成される部位に棚板が設けられ、前記棚板の前端部には着脱可能に棒状部が固定され、前記棒状部は前記間隙を被覆しうるように前記棚板及び前記両側板の前端部に設けられると共に、前記棒状部を前記棚板から取り外して、前方へ突出配置されるように前記棚板の前端部に固定して脚部として使用できるように形成されていることから、例えば、机として使用する場合に脚部を形成し、安定した使用状態を確保することが可能となる。
【００１８】
請求項４記載の考案にあっては、前記背面板、両側板、天板、棚板及び脚部は固定金具を介して固定され、前記固定金具は、カムロックと、カムロックボルトとにより構成されており、固形金具が表面に突出することがなく、外観品質に優れた多用途のラックを提供することが可能となる。
また、請求項５記載の考案にあっては、全体縦長直方体に形成され上下方向に多段の棚板を有することから、多段の棚板を有して収納棚としても使用しやすい多用途のラックを提供することが可能となる。
【図面の簡単な説明】
【００１９】
【図１】本考案に係るラックの一実施の形態を示す斜視図である。
【図２】本考案に係るラックを机として使用する場合の一実施の形態を示し、天板を取り外す場合を示す分解斜視図である。
【図３】本考案に係るラックを机として使用する場合の一実施の形態を示し、仕切板を取り外す状態を示す分解斜視図である。
【図４】本考案に係るラックを机として使用する場合の一実施の形態を示し、仕切板を両側板前端部に固定する状態を示す分解斜視図である。
【図５】本考案に係るラックを机として使用する場合の一実施の形態を示し、天板を仕切板に固定する状態を示す分解斜視図である。
【図６】本考案に係るラックを机として使用する場合の一実施の形態を示す斜視図である。
【図７】本考案に係るラックの上端部の棚上に収納部を構成する場合の一実施の形態を示し、仕切板を取り外し両側板の上端部に固定する場合を示す分解斜視図である。
【図８】本考案に係るラックの上端部の棚上に収納部を構成する場合の一実施の形態を示し、両側板の上端部に固定された仕切板に天板を固定する場合を示す分解斜視図である。
【図９】本考案に係るラックの上端部の棚上に収納部を構成する場合の一実施の形態を示す斜視図である。
【図１０】本考案に係るラックの一実施の形態を示し、最下段の棚板に固定された棒状部材を取り外す状態を示す分解斜視図である。
【図１１】本考案に係るラックの一実施の形態を示し、最下段の棚板に固定された棒状部材を取り外して脚部として使用する状態を示す分解斜視図である。
【考案を実施するための形態】
【００２０】
以下、添付図面に示す実施の形態に基づき、本考案を詳細に説明する。
図１に示すように、本実施の形態に係るラック１０は、床面１１に載置され、両側板１２、１３と、両側板１２、１３の間に設けられた背面板１４と、両側板１２，１３及び背面板１４の上端部に装着された天板１５と、天板１５の下方に配置された第一の棚板１６とを備えている。
【００２１】
本実施の形態に係るラック１０は、全体薄型直方体形状に形成され、所定の高さ寸法、幅寸法、厚さ寸法を有する。第一の棚板１６の下方には、第一の棚板１６と平行に両側板１２、１３の下端部において第二の棚板１７が設けられ、第一の棚板１６と第二の棚板１７との間には、長さ方向の中間部に両側板１２、１３と平行に高さ方向に沿って配設された中央仕切板１８が設けられている。
【００２２】
また、中央仕切板１８の高さ方向の中間部には可動棚１９ａ、１９ｂが、中央仕切板１８の両側に設けられており、中央仕切板１８の両側面部及び両側板１２、１３の内側面部に、高さ方向に沿って複数設けられた調整孔部２０に、適宜、支持金具（図示せず）を挿入配置することにより可動棚１９ａ、１９ｂを高さ移動して配設することができるように構成されている。
【００２３】
第二の棚板１７の下方には第三の棚板２０が近接して配設され、第三の棚板２０と両側板１２、１３の下端との間には、後述の脚部３９を構成する棒状部２１が配設されている。そして、本実施の形態にあっては、天板１５と第一の棚板１６との間には、高さ方向に沿って配設され、着脱可能に固定された仕切板２２ａ、２２ｂが、長さ方向に沿って所定間隔をおいて一対に設けられている。
【００２４】
図２に示すように、天板１５は、長さ方向両端部において両側板１２、１３の上端部に、また、仕切板２２ａ、２２ｂの上端部に、公知の構成に係るカムロック２４及びカムロックボルト２３とにより構成される固定金具２５により着脱可能に固定されている。
即ち、両側板１２、１３には、幅方向に沿って上端部に２か所に、上方に開孔する開口部を有する固定部３１、３２が設けられ、カムロック２４が夫々内装されている。一方、天板１５においては、長さ方向両端部には、固定部３１、３２に対応する、カムロックボルト２３の挿通孔３３，３４が２か所開設されていると共に、仕切板２２ａ、２２ｂに対応部にはカムロックボルト２３の挿通孔３５が開設されている。
【００２５】
図３に示すように、仕切板２２ａ、２２ｂは側面略台形状に形成され、長片部２６を介して背面板１４に、内装されたカムロック２４にカムロックボルト２３を係合させることにより着脱可能に固定されている。本実施の形態にあっては長片部２６は両側板１２、１３の幅寸法と同一に形成されている。この場合、仕切板２２ａ、２２ｂには、長片部２６に開孔する開口部を有する第一固定部２８と、底辺相当部２９に開孔する第二固定部３０とが設けられており、夫々、カムロック２４が内装されている。
【００２６】
従って、本実施の形態に係るラック１０を机として使用する場合には、まず、図２示すように、天板１５を両側板１２、１３及び仕切板２２ａ、２２ｂから、カムロックボルト２３を、カムロック２４を回転させて、係合を外すことにより取り外す。次に、仕切板２２ａ、２２ｂを、同様に、カムロックボルト２３を其々、カムロック２４を回転させて係合を外すことにより、背面板１４から取り外す。
次に、図４に示すように、仕切板２２ａ、２２ｂを、其々、両側板１２、１３の前端部に、仕切板２２２ａ、２２ｂの底片相当部２９を当接させた状態で配置し、両側板１２、１３の前端部に設けられた挿通孔３６にカムロックボルト２３を挿通させ、第二固定部３０のカムロック２４にカムロックボルト２３を係合させることにより、仕切板２２ａ、２２ｂを固定する。
この場合、仕切板２２ａ、２２ｂが両側板１２、１３に固定された場合には、天板１５の厚さ寸法分下方に仕切板２２ａ、２２ｂの長片部２６が配置されるように取り付けられる。
【００２７】
そして、図５に示すように、天板１５を仕切板２２ａ、２２ｂの長片部２６上に載置し、挿通孔３４にカムロックボルト２３を挿通させた状態で、カムロックボルト２３を仕切板２２ａ、２２ｂの第二固定部３０の孔部を介して第一固定部２８のカムロック２４に係合させることにより固定する。
その結果、図６に示すように、仕切板２２ａ、２２ｂが両側板１２、１３に固定された場合には、天板１５の厚さ寸法分下方に仕切板２２ａ、２２ｂの長片部２６が配置されるように取り付けられていることから、取り付けられた天板１５の表面部は第一の棚板１６の表面部と面一の状態となり、天板１５及び第一の棚板１６を広い机面として使用することができる机として使用しうるラック１０を提供することができる。
【００２８】
また、天板１５を背面板１４上に延設させて天板１５上に収納部を形成する場合には、先ず、前記同様の要領にて天板１５を取り外す。さらに、前記同様の要領にて仕切板２２ａ、２２ｂを背面板１４から取り外す。
次に、図７に示すように、仕切板２２ａ、２２ｂを、夫々、両側板１２、１３の上端部に固定する。即ち、仕切板２２ａ、２２ｂの長片部２６に設けられた挿通孔３７にカムロックボルト２３を挿通させた状態で、両側板１２、１３の固定部３２、３２のカムロック２４に係合させて固定する。この場合、仕切板２２ａ、２２ｂの長片部２６は両側板１２、１３の幅寸法と同一に形成されていることから、仕切板２２ａ、２２ｂは両側板１２、１３の両端部に合致した状態で延設される。
【００２９】
次に、天板１５を背面板１４の上端部及び仕切板２２ａ、２２ｂの底辺相当部２９に当接させた状態で、天板１５の挿通孔にカムロックボルト２３を挿通させ、図８に示すように、仕切板２２ａ、２２ｂの第二固定部３０のカムロック２４に係合させて、天板１５を仕切板２２ａ、２２ｂに固定する。その結果、図９に示すように、第一の棚板１６の上方に仕切板２２ａ、２２ｂ及び天板１５が延設されて収納部３８が形成される。この収納部３８は所定の高さ寸法を有することから、ラック１０が、例えば、子供部屋において使用されるような場合には、ランドセルを第一の棚板１６上に載置して収納することができる。
【００３０】
さらに、本実施の形態においては、図１０及び図１１に示すように脚部３９を設定することもできる。上述のように、第三の棚板２０と両側板１２、１３の下端との間には、棒状部２１、２１が配設されている。この棒状部２１、２１は、図１０に示すように、通常は、スクリュー４０、４０により第三の棚板２０の裏面部側に固定されているが、必要に応じて、スクリュー４０、４０を解放して棒状部２１、２１を取り外し、図１１に示すように、棒状部２１、２１を両側板１２、１３の幅方向に沿って前出するように第三の棚板２０の前端部に、スクリュー４０、４０を介して固定することにより、左右一対の脚部３９を構成することができる。このように脚部を構成した場合には、特に、図６及び図９に示すように机として使用する場合には、安定して使用することが可能となる。
【産業上の利用可能性】
【００３１】
本考案はラックの改良に関することから、産業上の利用可能性を有している。
【符号の説明】
【００３２】
１０  ラック
１１  床面
１２  両側板
１３  両側板
１４  背面板
１５  天板
１６  第一の棚板
１７  第二の棚板
１８  中央仕切板
１９  可動棚
２０  調整孔部
２１  棒状部
２２  仕切板
２３  カムロック
２４  カムロックボルト
２５  固定金具
２６  長片部
２８  第一固定部  
２９  底辺相当部
３０  第二固定部
３１  固定部
３２  固定部
３３  挿通孔
３４  挿通孔
３５  挿通孔
３６  挿通孔
３７  挿通孔
３８  収納部
３９  脚部
４０  スクリュー
【図１】
0003208174.tif 000003
【図２】
0003208174.tif 000004
【図３】
0003208174.tif 000005
【図４】
0003208174.tif 000006
【図５】
0003208174.tif 000007
【図６】
0003208174.tif 000008
【図７】
0003208174.tif 000009
【図８】
0003208174.tif 000010
【図９】
0003208174.tif 000011
【図１０】
0003208174.tif 000012
【図１１】
0003208174.tif 000013